(57)【要約】【課題】開封時に容易に食品容器を取り出すことができ、当該食品容器を手間なく保持することができるカートンを提供すること。【解決手段】カートン１は、食品容器７を収容可能なカートン１であって、筒状の胴部２と、胴部２の下端側を塞ぐ底面部３と、胴部２の上端側を塞ぐ天面部４と、天面部４に食品容器７を取り出す取出口５を形成可能な取出口形成線６とを備え、胴部２は、周方向に連続しない不連続部２０が設けられた分割構造を有し、取出口形成線６は、不連続部２０に接続されている。【選択図】図１
2018100110.tif 000002
【特許請求の範囲】
【請求項１】
食品容器を収容可能なカートンであって、
筒状の胴部と、
前記胴部の下端側を塞ぐ底面部と、
前記胴部の上端側を塞ぐ天面部と、
前記天面部に前記食品容器を取り出す取出口を形成可能な取出口形成線とを備え、
前記胴部は、周方向に連続しない不連続部が設けられた分割構造を有し、
前記取出口形成線は、前記不連続部に接続されていることを特徴とするカートン。
【請求項２】
請求項１に記載のカートンにおいて、
前記胴部は、
第１側板部と、
前記不連続部を挟んで前記周方向に前記第１側板部と隣り合う第２側板部と、
前記第１側板部および前記第２側板部の一方に設けられたフラップとを備え、
前記第１側板部および前記第２側板部の他方は、前記フラップが差し込まれる差込部を備えていることを特徴とするカートン。
【請求項３】
請求項１または請求項２に記載のカートンにおいて、
前記取出口形成線は、前記不連続部との交点から前記天面部と前記胴部との境界線上に延設された境界線部を備えていることを特徴とするカートン。
【発明の詳細な説明】
【技術分野】
【０００１】
本発明は、カートンに関する。
【背景技術】
【０００２】
従来、食品容器を取出可能に収容するとともに、取り出した食品容器を保持可能なカートンが知られている（例えば、特許文献１、２参照）。
特許文献１、２に記載のカートンは、食品容器を取り出す取出口と、食品容器を保持する保持開口とを別々に形成し、取出口から取り出した食品容器を保持開口に保持できるようになっている。
【先行技術文献】
【特許文献】
【０００３】
【特許文献１】特開２００４−２７６９２７号公報
【特許文献２】特開２００４−２２４４０２号公報
【発明の概要】
【発明が解決しようとする課題】
【０００４】
しかしながら、特許文献１、２に記載されたような従来のカートンは、複数の開口が形成可能に設けられているため、開封時にどの開口を形成して食品容器を取り出せばよいか混乱するという問題がある。また、取出口とは別に保持開口を形成する必要があるため、食品容器を保持する際の手間が増えてしまうという問題がある。
【０００５】
本発明の目的は、開封時に容易に食品容器を取り出すことができ、当該食品容器を手間なく保持することができるカートンを提供することにある。
【課題を解決するための手段】
【０００６】
本発明のカートンは、食品容器を収容可能なカートンであって、筒状の胴部と、前記胴部の下端側を塞ぐ底面部と、前記胴部の上端側を塞ぐ天面部と、前記天面部に前記食品容器を取り出す取出口を形成可能な取出口形成線とを備え、前記胴部は、周方向に連続しない不連続部が設けられた分割構造を有し、前記取出口形成線は、前記不連続部に接続されていることを特徴とする。
【０００７】
本発明によれば、取出口形成線が不連続部に接続されているため、取出口形成線で取出口を形成すれば、取出口と不連続部とを連続させることができる。このため、取出口を不連続部で拡開することができるので、広がった取出口から食品容器を取り出すことができる。一方、食品容器を保持する際は、取出口にそのまま食品容器を保持させることができる。従って、食品容器の取り出しおよび保持を取出口１つで行うことができるので、開封時に容易に食品容器を取り出すことができ、当該食品容器を手間なく保持することができる。
【０００８】
本発明のカートンにおいて、前記胴部は、第１側板部と、前記不連続部を挟んで前記周方向に前記第１側板部と隣り合う第２側板部と、前記第１側板部および前記第２側板部の一方に設けられたフラップとを備え、前記第１側板部および前記第２側板部の他方は、前記フラップが差し込まれる差込部を備えていることが好ましい。
【０００９】
本発明によれば、不連続部を挟んで互いに隣り合う第１側板部および第２側板部の一方にフラップが、他方に差込部が設けられているため、差込部にフラップを差し込むことで、胴部の強度を上げることができる。従って、取出口に食品容器を保持させたときの安定性を増すことができる。
【００１０】
本発明のカートンにおいて、前記取出口形成線は、前記不連続部との交点から前記天面部と前記胴部との境界線上に延設された境界線部を備えていることが好ましい。
【００１１】
本発明によれば、取出口形成線が不連続部との交点から天面部と胴部との境界線上に延設されるため、天面部における取出口の辺縁を天面部と胴部との境界線まで広げることができる。従って、取出口からの食品容器の取り出しを容易に行うことができる。
【図面の簡単な説明】
【００１２】
【図１】本発明の一実施形態に係るカートンの斜視図。
【図２】カートンの展開図。
【図３】カートンの取出口形成線の部分拡大図。
【図４】カートンの開封手順を示す平面図。
【図５】カートンの取出口から食品容器を取り出す手順を示す斜視図。
【図６】カートンの取出口に食品容器を保持する手順を示す斜視図。
【図７】カートンの取出口に食品容器を保持した状態を示す斜視図。
【図８】本発明の変形例に係るカートンの展開図。
【発明を実施するための形態】
【００１３】
以下、図面に基づいて本発明の一実施形態について説明する。
なお、以下の記載において方向を表す場合、カートン１を図１に示すように起立させた状態を基準とする。
【００１４】
［全体構成］
図１は、本実施形態に係るカートン１を示す斜視図である。図２は、カートン１の展開図（カートン形成用パネル（カートンブランクとも称する）１０の平面図）である。
図１において、カートン１は、チーズ等の食品が収容された食品容器７を収容可能な箱体であり、図２に示すように、板紙素材で形成されたカートン形成用パネル１０から組み立てられる。なお、食品容器７は、図１に示すように、開口７１Ａ（図５）の上端縁から外部に向けて延出した鍔部７１Ｂを有する容器本体７１と、鍔部７１Ｂに貼付されて開口を塞ぐシート蓋７２とを備えている。
【００１５】
図１および図２において、カートン１は、筒状の胴部２と、胴部２の下端側を塞ぐ底面部３と、胴部２の上端側を塞ぐ天面部４と、食品容器７を取り出す取出口５を形成可能な取出口形成線６とを備えている。
【００１６】
胴部２は、平面視略正方形の角筒状に形成されるとともに、周方向に連続しない不連続部が設けられた分割構造を有している。胴部２は、不連続部としての角部２０と、互いに対向する第１側板部としての第１妻板２１および第２妻板２２と、角部２０を挟んで各妻板２１、２２と周方向に隣り合う第２側板部としての第１内側妻板２３、第２内側妻板２４、第１外側妻板２５、および第２外側妻板２６と、第１妻板２１が接着されるシール板２７とを備えている。
【００１７】
第１妻板２１および第２妻板２２は、各内側妻板２３、２４および各外側妻板２５、２６に接着されず、これらに対して角部２０で不連続となっている。
第１妻板２１は、上部横折線４１を介して天面部４に連なっている。第１妻板２１は、各内側妻板２３、２４側の端部に設けられた一対のフラップ２１Ａ、２１Ｂと、把持部２１Ｅとを備えている。フラップ２１Ａ、２１Ｂは、上部横折線４１の両端からその直交方向にのびる縦折線２１Ｃ、２１Ｄを介して第１妻板２１に連なっている。フラップ２１Ａの下端側は、フラップ２１Ｂの下端側よりも大きく切り欠かれ、縦折線２１Ｃに沿った方向の高さ寸法がフラップ２１Ｂの高さ寸法よりも小さくなっている。
第２妻板２２は、第１妻板２１の反対側で下部横折線３１を介して底面部３に連なるとともに、上部横折線４２を介して天面部４に連なっている。第２妻板２２は、各内側妻板２３、２４側の端部に縦折線２２Ｃ、２２Ｄを介して連なる一対のフラップ２２Ａ、２２Ｂを備えている。
【００１８】
第１内側妻板２３および第２内側妻板２４は、第１妻板２１および第２妻板２２の対向方向に直交する方向に対向する。
第１内側妻板２３は、下部横折線３２を介して底面部３に連なっている。第１内側妻板２３の外面には、第１外側妻板２５が接着する接着部２３Ａが設けられている。接着部２３Ａは、下部横折線３２と平行に延設されるが、後述する差込部２５Ａに対応する位置で不連続になっている。
第２内側妻板２４は、第１内側妻板２３の反対側で下部横折線３３を介して底面部３に連なっている。第２内側妻板２４の外面には、第２外側妻板２６が接着する接着部２４Ａが設けられている。接着部２４Ａは、下部横折線３３と平行に延設されている。
【００１９】
第１外側妻板２５は、上部横折線４３を介して天面部４に連なるとともに、第１内側妻板２３に外側から重なって接着される。第１外側妻板２５は、フラップ２１Ａが差し込まれる差込部２５Ａを備えている。
第２外側妻板２６は、上部横折線４４を介して天面部４に連なるとともに、第２内側妻板２４に外側から重なって接着される。
【００２０】
シール板２７は、下部横折線３４を介して底面部３に連なっている。シール板２７の外面には、第１妻板２１が接着する接着部２７Ａが設けられている。接着部２７Ａは、下部横折線３４と平行に延設されるが、把持部２１Ｅに対応する位置で不連続になっている。このシール板２７に第１妻板２１が接着されるとともに、各内側妻板２３、２４に各外側妻板２５、２６が接着されることで、筒状の胴部２が形成される。
【００２１】
底面部３および天面部４は、互いに同一の形状を有し、それぞれ平面視略正方形状とされている。天面部４には、取出口形成線６によって取出口５が形成される。
【００２２】
取出口５は、天面部４に形成される天面開口５１と、胴部２に形成され、天面開口５１に連続する側面開口５２とで構成される。
【００２３】
取出口形成線６は、胴部２から角部２０と天面部４との交点Ｃ１を通り、天面部４を横断して胴部２に戻る一連の複数の切込６１で構成される破断線である。各切込６１は、図３にも示すように、取出口形成線６の輪郭を形成する直線部６１Ａと、直線部６１Ａに対して屈曲した屈曲部６１Ｂとを備えている。
取出口形成線６は、胴部２に設けられた側面開口形成線６２と、天面部４に設けられた天面開口形成線６３とを備えている。
【００２４】
側面開口形成線６２は、第１妻板２１の下端縁から上部横折線４１に向かって互いに平行にのびる第１直線部６２Ａおよび第２直線部６２Ｂと、各直線部６２Ａ、６２Ｂから上部横折線４１に向かって互いに拡開する第１拡開部６２Ｃおよび第２拡開部６２Ｄとを備えている。
第１直線部６２Ａおよび第２直線部６２Ｂは、第１妻板２１の下端縁から天面部４の面方向に直交する方向に延設されている。第１直線部６２Ａと第２直線部６２Ｂとの間は、把持部２１Ｅとされている。
第１拡開部６２Ｃは、第１直線部６２Ａの上部横折線４１側の端部から交点Ｃ１に向かって傾斜し、交点Ｃ１で天面開口形成線６３と接続する。
第２拡開部６２Ｄは、第２直線部６２Ｂの上部横折線４１側の端部から第１拡開部６２Ｃの反対側に傾斜し、上部横折線４１上の交点Ｃ２で天面開口形成線６３と接続する。第２拡開部６２Ｄを形成する切込６１のうち、上部横折線４１に交わる切込６１Ｄは、図３にも示すように、直線部６１Ａと、直線部６１Ａの一端に設けられた屈曲部６１Ｂと、直線部６１Ａの他端に設けられた屈曲部６１Ｃとを備えている。
【００２５】
天面開口形成線６３は、交点Ｃ１から天面部４と胴部２との境界線である上部横折線４３上に延設された境界線部６３Ａと、天面部４に設けられ、境界線部６３Ａに接続する円弧部６３Ｂとを備えている。
境界線部６３Ａは、上部横折線４３上の交点Ｃ３で円弧部６３Ｂにその接線方向で接続する。
円弧部６３Ｂは、食品容器７の鍔部７１Ｂの直径よりも小さな直径を有するとともに、１８０度以上２７０度以下の中心角を有する円弧状とされ、上部横折線４３から上部横折線４１にかけて形成されている。円弧部６３Ｂを形成する切込６１のうち、側面開口形成線６２に接続する切込６１Ｅは、図３にも示すように、その屈曲部６１Ｂおよび屈曲部６１Ｃの各々の端部を通る直線Ｌ１と上部横折線４１とが成す角度θ１が、９０度より大きくなるように設けられている。また、当該切込６１Ｅは、その直線部６１Ａの延長線Ｌ２と上部横折線４１とが成す角度θ２が、角度θ１よりも大きくなるように設けられている。
【００２６】
［カートンの開封］
カートン１を開封する際は、把持部２１Ｅを把持し、当該把持部２１Ｅを上部横折線４１で折り返すように引き上げる。これにより、第１妻板２１は、各直線部６２Ａ、６２Ｂおよび各拡開部６２Ｃ、６２Ｄに沿って上部横折線４１の位置まで切断され、側面開口５２が形成される。次いで、天面開口５１を形成するために、把持部２１Ｅを上部横折線４１で天面部４側に折り返し、図４に示すように、当該把持部２１Ｅを上部横折線４１に直交する第１開封方向Ｄ１に引っ張る。
【００２７】
ここで、境界線部６３Ａは、交点Ｃ１から第１開封方向Ｄ１に延設されているため、把持部２１Ｅを第１開封方向Ｄ１に引っ張った際の切断抵抗が小さく、切断されやすい。これに対し、円弧部６３Ｂは、第２拡開部６２Ｄから第１開封方向Ｄ１に向かって境界線部６３Ａから離れる方向に設けられているため、境界線部６３Ａに比べて切断抵抗が大きく、切断されにくい。このため、天面開口５１を形成する際は、先ず境界線部６３Ａが切断されることになる。その後、図４に示すように、交点Ｃ２と交点Ｃ３とを結ぶ直線Ｌ３に直交する第２開封方向Ｄ２に把持部２１Ｅを引っ張ることで、天面部４が円弧部６３Ｂの両端から当該円弧部６３Ｂに沿って切断され、天面開口５１が形成される。これにより、天面開口５１が側面開口５２に連続して形成され、取出口５が形成される。
【００２８】
［食品容器の引出しおよび保持］
カートン１から食品容器７を取り出す際は、取出口５における食品容器７の露出部分を把持し、当該食品容器７を天面開口５１と側面開口５２との連続部側に斜め上方に引き上げる。すると、図５に矢印および二点鎖線で示すように、第１妻板２１、第１内側妻板２３、および第１外側妻板２５が食品容器７によって外側に押され、取出口５が角部２０で拡開するため、取出口５から食品容器７を取り出すことができる。
【００２９】
取り出した食品容器７内の食品は、食品容器７ごと電子レンジ等で温めることができる。この際、食品容器７も加熱されるため、食品容器７が熱くなってしまい、食品容器７が取り出しにくい。そこで、取出口５で食品容器７を保持したまま温めれば、カートン１を把持して電子レンジ等から取り出すことができる。取出口５で食品容器７を保持する際は、図６に示すように、差込部２５Ａにフラップ２１Ａを外側から差し込んだ後、取り出した食品容器７を天面開口５１に挿入する。これにより、図７に示すように、食品容器７の鍔部７１Ｂが天面部４に係止され、食品容器７が取出口５に保持される。
【００３０】
以上のような実施形態によれば、取出口形成線６が不連続部である角部２０に接続されているため、取出口形成線６で取出口５を形成すれば、取出口５と角部２０とを連続させることができる。このため、取出口５を角部２０で拡開することができるので、広がった取出口５から食品容器７を取り出すことができる。一方、食品容器７を保持する際は、取出口５にそのまま食品容器７を保持させることができる。従って、食品容器７の取り出しおよび保持を取出口１つで行うことができるので、開封時に容易に食品容器７を取り出すことができ、当該食品容器７を手間なく保持することができる。
【００３１】
また、角部２０を挟んで互いに隣り合う第１妻板２１および第１外側妻板２５の一方にフラップ２１Ａが、他方に差込部２５Ａが設けられているため、差込部２５Ａにフラップ２１Ａを差し込むことで、胴部２の強度を上げることができる。従って、取出口５に食品容器７を保持させたときの安定性を増すことができる。
【００３２】
また、取出口形成線６が角部２０との交点Ｃ１から天面部４と胴部２との境界線である上部横折線４３上に延設されるため、天面部４における取出口５の辺縁を天面部４と胴部２との境界線まで広げることができる。従って、取出口５からの食品容器７の取り出しを容易に行うことができる。
【００３３】
［変形例］
なお、本発明は前述した実施形態に限定されるものではなく、本発明の目的を達成できる範囲での変形、改良等は本発明に含まれる。
例えば、胴部２は、取出口形成線６が接続される角部２０で不連続であればよく、その他の角部２０が不連続でなくてもよい。
各妻板２１、２２は、各フラップ２１Ａ、２１Ｂ、２２Ａ、２２Ｂを備えていなくてもよい。
差込部２５Ａは、第１外側妻板２５に代えて第２外側妻板２６に設けてもよいし、第１外側妻板２５および第２外側妻板２６にそれぞれ設けてもよい。第２外側妻板２６に差込部を設ける場合、当該差込部にフラップ２１Ｂを差し込むようにすればよい。
【００３４】
取出口形成線６は、図８に示すように、天面開口形成線６３で構成され、側面開口形成線６２を備えていなくてもよい。図８において、天面開口形成線６３は、境界線部６３Ａと、円弧部６３Ｂと、天面部４と胴部２との境界線である上部横折線４１上に交点Ｃ２から交点Ｃ１まで延設された境界線部６３Ｃとを備えている。
取出口形成線６は、切込６１で構成される場合に限定されず、例えば、カートン１を部分的に変質させた変質部で構成してもよいし、カートン１を部分的に薄肉にした薄肉部で構成してもよい。この場合、変質部や薄肉部は、切込６１のように断続的に連なって並ぶように設けられてもよいし、連続する１本の線状に設けられてもよい。
【符号の説明】
【００３５】
１…カートン、２…胴部、３…底面部、４…天面部、５…取出口、６…取出口形成線、７…食品容器、２０…角部（不連続部）、２１…第１妻板（第１側板部）、２１Ａ…フラップ、２２…第２妻板（第１側板部）、２３…第１内側妻板（第２側板部）、２４…第２内側妻板（第２側板部）、２５…第１外側妻板（第２側板部）、２５Ａ…差込部、２６…第２外側妻板（第２側板部）、４３…上部横折線（境界線）、６３Ａ…境界線部、Ｃ１…交点。
【図１】
2018100110.tif 000003
【図２】
2018100110.tif 000004
【図３】
2018100110.tif 000005
【図４】
2018100110.tif 000006
【図５】
2018100110.tif 000007
【図６】
2018100110.tif 000008
【図７】
2018100110.tif 000009
【図８】
2018100110.tif 000010